(57)【特許請求の範囲】
【請求項１】
インストルメントパネルの車両幅方向の中心に空調またはオーディオ類の操作系パネルを備え、助手席と対面する箇所に助手席用エアバッグと該エアバッグの下方にグローブボックスとを備え、前記助手席用エアバッグと前記グローブボックスとの間に前記インストルメントパネルの内部へ向かって凹み、その下面は水平方向に対して前記インストルメントパネルの奥側へ向かって下方に傾斜している形状の収納部を形成するインストルメントパネル構造において、該収納部と前記操作系パネルとの間で且つ操作系パネル内でない範囲にアクセサリーソケットを設けたことを特徴とするインストルメントパネル構造。
【請求項２】
前記収納部内には、前記収納部内壁の下面上方で、前記アクセサリーソケット寄りの位置に断面形状が車両前方へ向かって開口するＵ字形状に形成されているフック部が設けられていることを特徴とする請求項１ に記載のインストルメントパネル構造。
【請求項３】
前記エアバッグは、展開時のバッグが収納部の開口部を塞ぐように膨張する助手席エアバッグであることを特徴とする請求項1または２のいずれかに記載のインストルメントパネル構造。
【発明の詳細な説明】
【技術分野】
【０００１】
本発明は、車両のインストルメントパネル構造に係り、特に、インストルメントパネル上に設けたアクセサリーソケットに対して、使用時の利便性を向上させるための他の構成部品とのレイアウトに関する。
【背景技術】
【０００２】
自動車などの車室内に設けられる従来のアクセサリーソケットは、シガーライターの役割を兼ねていたことから、アッシュトレイ（灰皿）と隣接して設けられていることが多い（例えば、特許文献１参照）。そのため、アクセサリーソケットは、比較的目立たぬインストルメントパネルの下部やセンターコンソールの奥に設けられることが多かった。
【０００３】
ところで、近年においては、健康への関心の向上や、公共の場での禁煙エリアの拡大などによって、喫煙者の数が減っており、車両に備えたシガーライターを必要としないユーザーが増える傾向が見られる。それとは逆に、携帯電話の普及率が急激に伸びており、その一方で、運転中の携帯電話の通話が法で禁止されていることから、運転中の時間を利用して携帯電話の充電を行いたいというユーザーの要望が増え、アクセサリーソケットを携帯電話の充電に利用するためのプラグ等も販売されている。
【０００４】
【特許文献１】特開２００１−１８３９号公報
【発明の開示】
【発明が解決しようとする課題】
【０００５】
しかしながら、シガーライターを兼ねた従来のアクセサリーソケットは、運転者から見難い位置に設けられていることが多いので、携帯電話の充電時の接続動作が行い難く、目視での確認のために運転者は姿勢を大きく変える必要があった。また、車室内では、接続した携帯電話や充電器の設置場所を確保できるとは限らず、車両走行時の振動や加速で、携帯電話等が転がったり、車体フロアに落ちたりするおそれがあった。そこで、従来の車両の中には、これを防止するために、携帯電話専用のホルダー等が車室内に設けられているものもあるが、充電しない場合にホルダー等のスペースを他の用途に使うことができないという問題があった。
【０００６】
本発明はこのような実状に鑑みてなされたものであって、その目的は、アクセサリーソケットを運転席からの接続動作および確認がしやすい高さと位置に配置し、当該アクセサリーソケットに隣接し、かつインストルメントパネル上に配置した他の機構部品の動作の妨げとならない位置に収納部を設けことにより、車両運転中のアクセサリーソケットでの携帯電話の充電を容易に行うことが可能なインストルメントパネル構造を提供することにある。
【課題を解決するための手段】
【０００７】
上記従来技術の有する課題を解決するために、本発明は、インストルメントパネルの車両幅方向の中心に空調またはオーディオ類の操作系パネルを備え、助手席と対面する箇所に助手席用エアバッグと該エアバッグの下方にグローブボックスとを備え、前記助手席用エアバッグと前記グローブボックスとの間に前記インストルメントパネルの内部へ向かって凹み、その下面は水平方向に対して前記インストルメントパネルの奥側へ向かって下方に傾斜している形状の収納部を形成するインストルメントパネル構造において、該収納部と前記操作系パネルとの間で且つ操作系パネル内でない範囲にアクセサリーソケットを設けている。
【０００８】
また、本発明において、前記収納部内には、前記収納部内壁の下面上方で、前記アクセサリーソケット寄りの位置に断面形状が車両前方へ向かって開口するＵ字形状に形成されているフック部が設けられている。
【０００９】
そして、本発明において、前記エアバッグは、展開時のバッグが収納部の開口部を塞ぐように膨張する助手席エアバッグである。
【発明の効果】
【００１０】
上述の如く、本発明に係るインストルメントパネル構造は、インストルメントパネルの車両幅方向の中心に空調またはオーディオ類の操作系パネルを備え、助手席と対面する箇所に助手席用エアバッグと該エアバッグの下方にグローブボックスとを備え、前記助手席用エアバッグと前記グローブボックスとの間に前記インストルメントパネルの内部へ向かって凹み、その下面は水平方向に対して前記インストルメントパネルの奥側へ向かって下方に傾斜している形状の収納部を形成するものであって、該収納部と前記操作系パネルとの間で且つ操作系パネル内でない範囲にアクセサリーソケットを設けているので、アクセサリーソケットと収納部が操作系パネルに隣接して設けられることになり、ユーザーがアクセサリーソケットを用いて携帯電話を充電する場合、運転席から確認しやすい高い位置で、かつ差込み動作がしやすい位置にアクセサリーソケットが配置されることになる。したがって、アクセサリーソケットに接続した携帯電話本体と充電器を収納部に収容することが可能となるため、アクセサリーソケットの使い勝手を向上させることができる。
また、本発明のインストルメントパネル構造における収納部は、上記した位置に形成されていることから、エアバッグの展開時やグローブボックスの開閉時にも収容した携帯電話や充電器が邪魔になることがない。
さらに、本発明のインストルメントパネル構造では、アクセサリーソケットを操作系パネル内に設けていないので、操作系パネル内における空調やオーディオ類のレイアウトの自由度を向上させることができる。
しかも、本発明によれば、収納部の下面が水平方向に対して前記インストルメントパネルの奥側へ向かって下方に傾斜しているので、収納部内に収納した携帯電話や充電器が車両走行時の振動で車体フロアなどに落下するのを防止することができる。
【００１２】
そして、本発明によれば、前記収納部内には、前記収納部内壁の下面上方で、前記アクセサリーソケット寄りの位置に断面形状が車両前方へ向かって開口するＵ字形状に形成されているフック部が設けられているので、当該フック部に携帯電話のストラップを引っ掛けたり、充電器のコードを束ねて挟むことが可能となり、携帯電話が車両走行中の振動で落下するのを防ぐと共に、充電器のコードがバタ付くのを防ぐことができる。また、携帯電話の充電器のコードを必要最小限の長さにまとめることができ、コードのバタ付きをさらに抑え、収納部内にコンパクトに収容することができる。さらに、携帯電話の充電を行わない時は、ビニール袋等を引っ掛けるフックとして利用することが可能となる。特に、本発明のインストルメントパネル構造におけるフック部は、車室内で比較的高い位置に配置されているため、スーパーの買い物袋などの保持に最適な高さを確保することができる。
【００１３】
また、本発明によれば、前記エアバッグは、展開時のバッグが収納部の開口部を塞ぐように膨張する助手席エアバッグであるので、エアバッグの展開時にエアバッグが収納部内の収納物の飛び出しを防止する効果を有している。
【発明を実施するための最良の形態】
【００１５】
以下、本発明を図示の実施の形態に基づいて詳細に説明する。
図１は本発明の実施の形態に係る車両のインストルメントパネル構造の斜視図、図２は助手席と対面する箇所における図1のインストルメントパネルの断面図、図３は助手席用エアバッグの展開時における図1のインストルメントパネルの断面図、図４は図1のＡ−Ａ線断面図である。
【００１６】
本発明の実施の形態のインストルメントパネル１は、図１に示す如く、車室内の車体前部および側部に取付けられる合成樹脂製の一体成形品であり、図示しない運転席および助手席の前方位置に配設されている。このようなインストルメントパネル１は、車室内の車両幅方向のほぼ全幅にわたる長さに形成されており、運転席と対面する箇所にメータクラスタ９などを備え、助手席と対面する箇所に助手席用エアバッグ７と該エアバッグ７の下方にグローブボックス８とを備えている。
インストルメントパネル１の車両幅方向の中央部上には、運転席に着座した乗員が操作しやすいように、主にカーステレオ（オーディオ類）３、エアコン（空調機器）４などの操作系パネル２が集約して配置されている。
【００１７】
この操作系パネル２に隣接した位置の助手席側のインストルメントパネル１には、携帯電話の充電に利用可能なアクセサリーソケット５が配設されている。アクセサリーソケット５は、操作系パネル２におけるエアコン４の操作部位置と略等しい高さに配置されており、運転席に着座した乗員が無理な姿勢を伴うことなく、携帯電話の充電作業および確認作業が行えるようになっている。
そして、操作系パネル２の左右両側に隣接する範囲のうち、助手席側に隣接してアクセサリーソケット５が設けられていることにより、助手席に着座した乗員も携帯電話の充電作業を容易に行うことが可能となっている。
【００１８】
また、本発明の実施の形態のインストルメントパネル１には、アクセサリーソケット５の助手席側に隣接して収納部６が設けられている。すなわち、アクセサリーソケット５は、車両幅方向で、収納部６と操作系パネル２との間に設けられることになる。
この収納部６は、図２〜図４に示す如く、インストルメントパネル１の内部へ向かって（車両前方へ向かって）凹む形状に形成されており、車室内側に臨む開口部の大きさは、アクセサリーソケット５を設けた座面５ａと略等しい上下幅を確保できれば良く、助手席用エアバッグ７とグローブボックス８との間において車幅方向に沿って延びた長方形状で設けられている。このような位置に収納部６を設けたことにより、収納部６内に収容した携帯電話や充電器等の収納物Ｂが、助手席用エアバッグ７の作動やグローブボックス８の開閉動作の邪魔にならないようになっている。なお、収納部６の開口部を閉じるような蓋などを設けても良いが、アクセサリーソケット５への接続などの作業性を考慮すると、蓋を設けない方が好ましい。
特に、上下幅がアクセサリーソケット５の座面５ａと同じ幅の狭い収納部６を助手席用エアバッグ７の下方に配置することにより、当該エアバッグ７の展開時において、図３に示すように、展開したバッグ７ａが収納部６の開口部を塞ぐように膨張するため、エアバッグ７が展開するような大きな荷重が携帯電話や充電器等の収納物Ｂに加わった場合でも、助手席と収納部６との間に展開したバッグ７ａが介在して収納部６の開口部を塞ぐことになる。したがって、収納部６に蓋などが設けられていない場合でも、収容した収納物Ｂが車室内の助手席に向かって飛び出すのを防ぐことが可能となっている。
【００１９】
さらに、収納部６の内部形状について述べると、図２および図３に示す如く、携帯電話や充電器等の収納物Ｂを載置する面となる下面６ａは、水平方向に対して、インストルメントパネル１の奥側、つまり車両前方へ向かうに従って下方に傾斜するように形成されている。このように収納部６の下面６ａを下り傾斜面形状とすることにより、収納した携帯電話や充電器等の収納物Ｂが傾斜面の下面６ａを滑って奥側の内壁に当たることで移動を停止して落ち着くため、車両走行時の振動や発進停止時の軽微な加速により、収納部６から収納物Ｂが落下するのを防ぐことが可能となっている。
【００２０】
一方、本発明の実施の形態のインストルメントパネル１では、図１および図４に示す如く、収納部６の内部にフック部６ｂが設けられている。このフック部６ｂは、携帯電話のストラップを引っ掛けた状態で収納部６内に収納し、より確実に携帯電話の落下を防止すべく設けられている。また、フック部６ｂは、収納部６の内壁面である下面６ａとの間に束ねた充電器のコードを挟んで保持し、車両走行時の振動などにおけるコードのバタ付きを防止すべく設けられている。そのため、フック部６ｂは、収納部６の内壁面である下面６ａの上方位置に設けられている。しかも、収納部６の下面６ａのうち、車室内側に位置する箇所が途中で下方に屈曲され、フック部６ｂに臨む下面６ａの先端とフック部６ｂとの間にストラップやコードなどを差し込むスペース６ｃが形成されている。
また、フック部６ｂは、アクセサリーソケット５寄りの位置に設けられている。このような位置にフック部６ｂが設けられると、束ねた充電器のコードとアクセサリーソケット５との距離を短くすることが可能となり、収納部６内に収容された充電器のコードのバタ付きをより一層防止するように構成されている。
【００２１】
また、本発明の実施の形態のインストルメントパネル１では、フック部６の断面形状が車両前方へ向かって開口するＵ字形状に形成されている。このような断面形状のフック部６ｂは、携帯電話や充電器のコードに限らず、コンビニやスーパーの買い物用ビニール袋の持ち手を引っ掛けるのに使用することが可能となる。しかも、フック部６ｂは、グローブボックス８の上方位置で、操作系パネル２の操作部に近い高さ位置に設けられていることから、ビニール袋を保持するのに十分な高さが確保されている。
【００２２】
このように、本発明の実施の形態のインストルメントパネル構造においては、周辺部品に対する配置、形状および相互の位置関係に特徴を持たせたアクセサリーソケット５、収納部６およびフック部６ｂがインストルメントパネル１に設けられているため、アクセサリーソケット５を用いた携帯電話の充電操作性を飛躍的に向上させ、各種小物の収納保持の利便性を高めることができる。
【００２３】
以上、本発明の実施の形態につき述べたが、本発明は既述の実施の形態に限定されるものではなく、本発明の技術的思想に基づいて各種の変形および変更が可能である。
【図面の簡単な説明】
【００２４】
【図１】本発明の実施の形態に係る車両のインストルメントパネル構造を示す斜視図である。
【図２】助手席と対面する箇所における図1のインストルメントパネルを示す断面図である。
【図３】助手席用エアバッグの展開時における図1のインストルメントパネルを示す断面図である。
【図４】図1のＡ−Ａ線断面図である。
【符号の説明】
【００２５】
１  インストルメントパネル
２  操作系パネル
３  カーステレオ（オーディオ類）
４  エアコン（空調機器）
５  アクセサリーソケット
６  収納部
６ａ  収納部の下面
６ｂ  フック部
７  助手席用エアバッグ
８  グローブボックス
Ｂ  携帯電話や充電器等の収納物
【図１】
0004737604.tif 000002
【図２】
0004737604.tif 000003
【図３】
0004737604.tif 000004
【図４】
0004737604.tif 000005